(57)【特許請求の範囲】
【請求項１】
断面略Ｕ字形状に形成された溝構成部材と該溝構成部材の上部開口を被蓋する溝蓋と上記溝構成部材の左右両側壁上に設置されて上記溝蓋を載承支持する左右一対の受枠を備えた排水溝構造において、前記受枠が前記溝構成部材の側壁上に載承される水平支え部と前記溝蓋を載承する水平受け部と溝蓋の側面を支承するための垂直受け部とで構成され、前記左右一対の受枠における少なくとも一方の上記水平支え部を前記溝構成部材の側壁より内側方に延長させることにより前記溝構成部材の上部開口の一部を覆うようにした事を特徴とする排水溝構造。
【請求項２】
前記溝構成部材の左右両側壁上にそれぞれ設置した左右一対の受枠を、連結部材を介して互いに一体的に連結してなる請求項１記載の排水溝構造。
【請求項３】
前記連結部材の両端部を前記溝構成部材の側壁内側面に当接させるようにした請求項２記載の排水溝構造。
【請求項４】
前記受枠の水平支え部下面に、前記溝構成部材の側壁の外側面及び／又は内側面に当接する左右ずれ止め部材を垂下突設してなる請求項１記載の排水溝構造。
【請求項５】
前記受枠の水平支え部を、前記溝構成部材の側壁より外側方に延長させ、該延長した水平支え部の下面を地中に打設したコンクリート部材等で下支えしてなる請求項１記載の排水溝構造。
【請求項６】
前記受枠の水平支え部に対して水平受け部と垂直受け部からなる蓋受け部材を左右及び／又は上下に移動可能に取付けてなる請求項１記載の排水溝構造。
【請求項７】
前記受枠の少なくとも水平支え部を、隣接する他方の水平支え部とその一部が重なり合うように形成してなる請求項１記載の排水溝構造。
【請求項８】
前記左右一対の受枠の水平受け部にわたって、夾雑物を捕捉するためのスクリーン部材を配設してなる請求項１記載の排水溝構造。
【発明の詳細な説明】
【０００１】
【発明の属する技術分野】
本発明は、道路や通路沿い或いは公園や広場等の周囲などにおいて雨水などの排水を流すために構築される排水溝や排水ピット等の排水溝構造に関し、特に、Ｕ字溝などのように上部が大きく開放された溝構成部材を用いた排水溝構造に関するものである。
【０００２】
【従来の技術】
この種の排水溝構造としては、清掃の利便性及び路面近くに構築される施工性の良さから、図８に示すごとく、断面略Ｕ字形状に形成された溝構成部材ａと、その上部開口を被蓋する溝蓋ｂと、その溝蓋ｂを載承支持するべく断面略Ｌ字形に形成され溝構成部材ａの左右両側壁ａ’上に設置される左右一対の受枠ｃ，ｃとからなる開渠タイプの排水溝が広く施工されている。
【０００３】
しかし乍ら、Ｕ字溝のように上部開口が大きく開放された溝構成部材を用いた開渠タイプの排水溝構造では、左右の側壁に土圧による水平内側方向の圧力とその上を通過する車両等の踏圧荷重による垂直方向の圧力がかかるので、それらの圧力に耐える剛性（強度）が求められる。そのために従来から、溝構成部材を強固なコンクリート材で形成したり、上部に水路より狭い幅の開口を形成してなる異形断面形状（断面略逆Ω形）の管状に形成したり、或いは左右の側壁にわたって横架部材を架設する等の工夫をしていた。
一方、Ｕ字溝などのように上部が大きく開放された溝構成部材ａを用いた排水溝構造では、その上部開口を被蓋する溝蓋ｂも溝構成部材の上部開口（幅Ｌで示す）に合わせて面積的に幅方向に大きな物（幅Ｌ’で示す）となるために、溝蓋自体にもその上を通過する車両等の踏圧荷重に耐える剛性（強度）を持たせなければならず、必然的に溝蓋の製造コストが高いものになる不具合があった。
【０００４】
【発明が解決しようとする課題】
本発明はこのような従来の不具合に鑑みてなされたものであり、Ｕ字溝などのように上部が大きく開放された溝構成部材を用いた場合であっても、その上部開口を面積的に幅の狭い溝蓋で被蓋することができると共に、従来より強度が低い溝構成部材を用いることが可能であり、その結果、従来より安価に構築することが可能な排水溝構造を提供せんとするものである。
【０００５】
【課題を解決するための手段】
斯かる目的を達成する本発明の排水溝構造は、断面略Ｕ字形状に形成された溝構成部材と該溝構成部材の上部開口を被蓋する溝蓋と上記溝構成部材の左右両側壁上に設置されて前記溝蓋を載承支持する左右一対の受枠を備えた排水溝構造において、上記受枠が前記溝構成部材の側壁上に載承される水平支え部と前記溝蓋を載承する水平受け部と溝蓋の側面を支承するための垂直受け部とで構成され、前記左右一対の受枠における少なくとも一方の上記水平支え部を前記溝構成部材の側壁より内側方に延長させることにより前記溝構成部材の上部開口の一部を覆うようにした事を特徴としたものである（請求項１）。
この際、前記溝構成部材の左右両側壁上にそれぞれ設置した左右一対の受枠を、連結部材を介して互いに一体的に連結したり（請求項２）、左右の側壁に土圧による水平内側方向にかかる圧力から保護できるようにすると同時に前記連結部材で一体的に連結した左右一対の受枠が水平方向に移動しないように、連結部材の両端部を溝構成部材の側壁内側面に当接させるようにしたり（請求項３）、或いは前記受枠の水平支え部下面に、前記溝構成部材の側壁の外側面及び／又は内側面に当接する左右ずれ止め部材を垂下突設する（請求項４）、ことが好ましい。
【０００６】
更に、前記溝構成部材を主に垂直方向の圧力から保護できるように、前記受枠の水平支え部を、溝構成部材の側壁より外側方に延長させ、該延長した水平支え部の下面を地中に打設したコンクリート部材等で下支えしたり（請求項５）、また厚味や幅の異なる溝蓋にも容易に対応できるように、前記受枠の水平支え部に対して水平受け部と垂直受け部からなる蓋受け部材を左右及び／又は上下に移動可能に取付ける（請求項６）、ことも考えられる。
また、受枠同士の接続部分から溝内に土砂が侵入しないように、受枠の少なくとも前記水平支え部を、隣接する他方の水平支え部とその一部が重なり合うように形成したり（請求項７）、溝蓋に形成された隙間を通して落ち葉やタバコの吸殻等が排水溝内部に浸入しないように、溝蓋の下部、具体的には左右一対の受枠の水平受け部にわたって、夾雑物を捕捉するためのスクリーン部材を配設する（請求項８）、ことも考えられる。
【０００７】
【発明の実施の形態】
以下、本発明の具体的な好適実施例を図面に基づいて詳細に説明するが、本発明は図示した実施例のものに限定されるものではなく、いろいろなバリエーションが考えられる。
尚、全図面を通して同様の構成部材には同じ符号を付して、重複説明は省略する。
【０００８】
本発明に係る排水溝構造は、排水溝１１を構成するための溝構成部材１と、該溝構成部材１の上部開口を被蓋するための溝蓋２と、溝構成部材１の左右両側壁１２，１２上に設置されて溝蓋２を載承支持するための左右一対の受枠３，３、等で構成される。
【０００９】
溝構成部材１は、コンクリート材や合成樹脂材、ＦＲＰ材等を用いて所定の長さと所定の開口幅を有する断面略Ｕ字形状に形成され（ちなみに図示実施例では、周知のコンクリート製Ｕ字溝の例を示す。）、上方から排水溝１１の内部が見えるように地中に半埋設状に設置されると共に、その左右の側壁１２，１２上面には、排水溝１１の上部開口を被蓋する溝蓋２を取外し可能に載承支持するための左右一対の受枠３，３がそれぞれ排水溝１１の長手方向に沿って設置され、排水溝１１の上部開口を被蓋する溝蓋２の上面２１と舗装路面４とが面一状となるように施工構築される。
【００１０】
受枠３は、ステンレス材や鋼材或いは鋳物材等の堅牢な金属材を用いて、溝構成部材１の側壁１２上面に載承される水平支え部３１と、溝蓋２を直接載承するための水平受け部３２と、溝蓋２の側面を横ずれしないように支承するための垂直受け部３３とを一体に形成すると共に、左右一対の受枠３，３のうち少なくとも一方の水平支え部３１を、溝構成部材１の上部開口の一部を覆うように幅方向にわたって延長形成してなる。
即ち、溝構成部材１の左右両側壁１２，１２上にそれぞれ設置される左右一対の受枠３，３のうち、少なくとも一方の水平支え部３１、すなわち、一方の水平支え部３１のみ或いは両方の一方の水平支え部３１，３１を、排水溝１１の上部開口の一部を覆うように溝構成部材１の側壁１２より内側方に延長形成せしめ、溝蓋２を直接的に載承する水平受け部３２及び垂直受け部３３を、溝構成部材１の側壁１２よりも内側方に配置させるように形成するものである。従って、排水溝１１の上部開口を被蓋するための溝蓋２は、溝構成部材１の側壁１２より内側方に迫り出した左右の水平受け部３２，３２と垂直受け部３３，３３とでもって載承されることになり、幅Ｌで示す排水溝１１の上部開口よりかなり幅の狭いもので済むようになる。
【００１１】
この際、図1及び図３に示すごとく、溝蓋２に形成された透水孔２２を通して排水溝１１内部に落ち葉やタバコの吸殻等が落ち込み浸入しないように、金網や樹脂製ネット等の夾雑物を捕捉するためのスクリーン部材５を溝蓋２の裏側、具体的には、左右一対の受枠３，３の両水平受け部３２，３２間にわたって配設することが好ましい。
尚、図３に示した実施例では、両水平支え部３１，３１の端辺部分に、断面略四角形状をした中空パイプ材で形成された台座３５を介して水平受け部３２と垂直受け部３３からなるＬ形アングル材を設置し、それら両水平受け部３２，３２間にわたってスクリーン部材５を断面略凹形に配設することにより、スクリーン部材５に夾雑物の溜まり部５１を形成したものである。
【００１２】
また、溝蓋２を載承するための左右一対の受枠３，３は、溝構成部材１の側壁１２，１２上に載置される水平支え部３１，３１がコンクリートやアスファルト等の舗装路面４を構成する材料で押し固められるが、受枠３の水平支え部３１を溝構成部材１の側壁１２上面或いは側面に図４に示すごとくボルト６等で固着させるも任意である。
更に、受枠３，３を溝構成部材１の側壁１２，１２上によりしっかりと載置し得るように、左右一対の受枠３，３を連結部材７を介して互いに一体的に連結することが好ましい。
【００１３】
連結部材７は、受枠３と同様な材料からなるＬ形アングル材を用いるか短冊状の平板形状や角または丸形状の柱或いはパイプ形状に形成し、左右に配置された受枠３，３の水平受け部３２，３２にわたり且つ受枠３，３の長さ方向に沿って適宜間隔毎に配置して、溶接または接着或いはネジ等の手段により、左右一対の受枠３，３同士を一体的に連結させるものである。
連結部材７を左右の受枠３，３の水平受け部３２，３２にわたって架設する場合、両水平受け部３２，３２の下面間（図１〜図３の実施例参照）でも、上面間でも、或いは端面間（図４の実施例参照）でも良く、また特に図２に示したごとく、連結部材７の両端部７１，７１を溝構成部材１の側壁１２，１２内側面に当接させることにより、左右の受枠３，３が左右水平方向に移動するのを防ぐと同時に溝構成部材１の左右両側壁１２，１２に水平内側方向にかかる圧力を受け止めるようにしても良い。
【００１４】
また、受枠３の水平支え部３１の下面には、受枠３が水平方向に移動するのを防ぐと同時に溝構成部材１の側壁１２に対して水平方向にかかる圧力を受け止めるための左右ずれ止め部材８を、溝構成部材１の側壁１２の外側面及び／又は内側面に当接するように垂下突設せしめることが好ましい。ちなみに図１に示した実施例では、水平支え部３１の下面に２つの左右ずれ止め部材８，８を垂下突設せしめて、側壁１２の外側面及び内側面に直接当接させてあるが、左右ずれ止め部材８に、溝構成部材１の側壁１２の外側面又は内側面に向けて調節用ボルト杆（図示せず）を取付けて、その調節用ボルト杆を溝構成部材１の側壁１２の外側面及び／又は内側面に当接させるように形成することも考えられる。そうすれば、側壁１２の厚味の異なる各種の溝構成部材１にも容易に対応できるようになると共に、受枠３の左右水平方向の位置決め調整作業を容易に行うことが可能となる。
【００１５】
更に、溝構成部材１（の側壁１２）の剛性・強度が低い場合には、図１に示したごとく、受枠３の水平支え部３１を溝構成部材１の側壁１２より外側方に幅方向にわたって延長させ、その下面を地中に打設したコンクリート部材９で下支えするように構成することが好ましい。
尚、図１中の符号１０は、受枠３を溝構成部材１の側壁１２上面に適正な位置に固定させるための固定用アンカーである。この固定用アンカー１０は、図２や図３に示すごとく、溝構成部材１（の側壁１２）の剛性（強度）が高い場合には特に、受枠３を連結部材７や左右ずれ止め部材６等を用いて溝構成部材１の側壁１２上面に対して適正な位置に設置できるので、格別に必要としない。
【００１６】
また、受枠３は、厚味や幅の異なる各種の溝蓋２にも容易に対応できるように、水平支え部３１に対して水平受け部３２と垂直受け部３３からなる蓋受け部材３４を左右及び／又は上下に移動可能に取付けることも考えられる。即ち、図４に示した実施例のものは、水平受け部３２と垂直受け部３３を同一体に形成した蓋受け部材３４を、受枠３の水平支え部３１に対してボルト３６と長穴３７とにより左右に移動可能に取付けたものであり、図５に示した実施例のものは、水平受け部３２と垂直受け部３３を水平受け部３２とは別形成し、垂直受け部３３を水平受け部３２に対してボルト３６と長穴３７とにより上下に移動可能に取付けたものである。
【００１７】
また、溝構成部材１として、車両通行量の多い場所に使用される「落蓋式溝」と称される溝構成部材を用いる場合には、図６に示すごとく、受枠３の水平支え部３１を側壁１２上面の段部１３に載承係合させ、水平支え部３１の上面から垂直受け部３３の上端面３３’の高さまでコンクリートまたはアスファルト材を舗装路面４と面一状となるように盛って構築しても良い。
【００１８】
更に、受枠３同士の接続部分から排水溝１１内に土砂が侵入しないように、図６に示すごとく、受枠３の少なくとも水平支え部３１の一部３１ａを、隣接する他方の水平支え部３１とその一部が重なり合うように形成することが好ましい。
【００１９】
また、図７に示した実施例は、本排水溝構造を階段部分に適用したものであり、溝構成部材１の左右両側壁１２，１２上に設置される左右一対の受枠３，３の水平支え部３１，３１をそれぞれ溝構成部材１の側壁１２外側に回り込ませる（ずれ止め部材８と兼用させる）と共に、一方の水平支え部３１にアンカー１０を取付けてコンクリート材９で固定することにより、溝構成部材１が左右の受枠３，３を介してアンカー１０で片持ちされた状態となるので、斜め下方の荷重に耐えやすくなり、且つ蹴込み部分における施工が省スペースで行えるようになる。
【００２０】
【発明の効果】
本発明の請求項１記載の排水溝構造によれば、断面略Ｕ字形状に形成された溝構成部材と該溝構成部材の上部開口を被蓋する溝蓋と上記溝構成部材の左右両側壁上に設置されて上記溝蓋を載承支持する左右一対の受枠を備えた排水溝構造において、前記受枠が前記溝構成部材の側壁上に載承される水平支え部と前記溝蓋を載承する水平受け部と溝蓋の側面を支承するための垂直受け部とで構成され、前記左右一対の受枠における少なくとも一方の上記水平支え部を前記溝構成部材の側壁より内側方に延長させることにより前記溝構成部材の上部開口の一部を覆うようにしたので、Ｕ字溝などのように上部が大きく開放された溝構成部材を用いた場合であっても、その上部開口を面積的に幅の狭い溝蓋で被蓋することが可能となり、その結果、従来のものより剛性（強度）が低い被蓋を使用することが出来、従来より安価に構築することが出来る。
【００２１】
そして、特に請求項３記載の排水溝構造によれば、左右一対の受枠を互いに一体的に連結するための連結部材の両端部を、溝構成部材の側壁内側面に当接させるようにしたので、左右一対の受枠を溝構成部材の側壁に対して左右水平方向にずれることなく設置することが出来ると共に、左右の側壁に土圧による水平内側方向にかかる圧力から保護し補強することが出来、よって従来より側壁の強度が低い溝構成部材を用いることが可能となる。
【００２２】
また、請求項４記載の排水溝構造によれば、受枠の水平支え部下面に、溝構成部材の側壁の外側面及び／又は内側面に当接する左右ずれ止め部材を垂下突設してなるので、左右ずれ止め部材を溝構成部材の側壁内側面に垂下突設すれば土圧による水平内側方向にかかる圧力から保護しえ、溝構成部材の側壁外側面に垂下突設すれば水圧等の外方向にかかる圧力から保護することが出来るようになり、よって側壁の強度が低い比較的安価な溝構成部材を用いることが可能となる。
しかも、受枠の水平支え部下面に垂下突設せしめた左右ずれ止め部材により、左右一対の受枠を溝構成部材の側壁に対して左右水平方向にずれることなく簡便に設置することが出来ると共に、従来の様に受枠をコンクリート材で固定せずとも済み、（受枠をコンクリート材で固定すると、コンクリート材が固まるまで１日以上かかる）、よって施工性を大幅に向上させることが出来る。
【００２３】
更に、請求項５記載の排水溝構造によれば、受枠の水平支え部を、溝構成部材の側壁より外側方に延長させ、該延長した水平支え部の下面を地中に打設したコンクリート部材等で下支えしてなるので、排水溝の上を通過する車両等踏圧荷重（垂直方向にかかる圧力）から溝構成部材を保護することが出来、この点からも樹脂製等の比較的強度の弱い材質で形成された溝構成部材を用いることが可能となる。
【００２４】
そして、特に請求項６記載の排水溝構造によれば、受枠の水平支え部に対して水平受け部と垂直受け部からなる蓋受け部材を左右及び／又は上下に移動可能に取付けてなるので、厚味や幅の異なる各種の溝蓋にも容易に対応することが出来るようになる。
【００２５】
また、請求項７記載の排水溝構造によれば、受枠の少なくとも水平支え部を、隣接する他方の水平支え部とその一部が重なり合うように形成してなるので、受枠同士の接続部分から排水溝内に土砂が侵入するのを簡便に防止することが出来ると共に、多数の溝構成部材の連結に伴って溝長手方向の位置ずれが多少生じた場合でも、容易に対応することが出来るようになる。
【００２６】
そして、請求項８記載の排水溝構造によれば、左右一対の受枠の水平受け部にわたって、夾雑物を捕捉するためのスクリーン部材を配設してなるので、落ち葉やタバコの吸殻等が溝蓋に形成された透水孔を通して排水溝内部に落ち込み浸入することがなくなる。
【図面の簡単な説明】
【図１】  本発明の第１実施例を示し、地中に構築した状態の断面図。
【図２】  本発明の第２実施例を示し、地中に構築した状態の断面図。
【図３】  本発明の第３実施例を示す断面図。
【図４】  本発明の第４実施例を示す断面図。
【図５】  本発明の第５実施例を示す断面図。
【図６】  本発明の第６実施例を示す一部切欠斜視図。
【図７】  本発明の第７実施例を示し、地中に構築した状態の断面図。
【図８】  従来例を示し、地中に構築した状態の断面図。
【符号の説明】
１：溝構成部材                １１：排水溝
１２：側壁
２：溝蓋                      ２１：溝蓋上面
２２：透水孔
３：受枠                      ３１：水平支え部
３２：水平受け部
３２：垂直受け部
４：舗装路面                    ５：スクリーン部材
７：連結部材                  ７１：両端部
８：左右ずれ止め部材            ９：コンクリート部材
１０：アンカー
【図１】
0004068795.tif 000002
【図２】
0004068795.tif 000003
【図３】
0004068795.tif 000004
【図４】
0004068795.tif 000005
【図５】
0004068795.tif 000006
【図６】
0004068795.tif 000007
【図７】
0004068795.tif 000008
【図８】
0004068795.tif 000009